(57)【要約】      （修正有）【課題】関節の動きの自由度が大きく、人形に様々な姿勢をとらせることができ、且つ安定感に優れた人形玩具を提供する。【解決手段】頭部２と、胴部３と、胴下部４と、腕部５と、脚部６とから構成される人形玩具１であって、胴部３は、頭部２、胴下部４、腕部５を連結させるための球体連結部１３を有し、胴下部４は、球体連結部１３を嵌め合わせるための球状凹部及び脚部６を連結させるための球体連結部１４を有し、腕部５は、肩部５１、上腕部５２、下腕部５３及び手部５４で構成され、肩部５１は胴部３の球体連結部１３に連結され、上腕部５２は肩部５１に挿着され、上腕部５２と下腕部５３、下腕部５３と手部５４は球体連結部材１１で連結され、脚部６は、上脚部６１、下脚部６２及び足部６３で構成され、上脚部６１は胴下部４の球体連結部１４に連結され、上脚部６１と下脚部６２、下脚部６２と足部６３は球体連結部材１２で連結された人形玩具とする。【選択図】図１
2007143620.tif 000002
【特許請求の範囲】
【請求項１】
頭部と、胴部と、胴下部と、腕部と、脚部とから構成される人形玩具であって、
該胴部には、頭部、胴下部、腕部を連結させるための球体連結部が設けられており、
該胴下部には、胴部に設けられた球体連結部を摺動且つ回動可能に嵌め合わせるための上方から前方に開口する球状凹部、及び脚部を連結させるための球体連結部が設けられおり、
該腕部は、肩部、上腕部、下腕部及び手部から構成され、肩部は胴部の球体連結部と摺動且つ回動可能に嵌め合わされ、上腕部は肩部に摺動可能に挿着され、上腕部と下腕部、下腕部と手部は両端に球体関節部を備えた球体連結部材によりそれぞれ摺動且つ回動可能に連結され、
該脚部は、上脚部、下脚部及び足部から構成され、上脚部は胴下部の球体連結部と摺動且つ回動可動に嵌め合わされ、上脚部と下脚部、下脚部と足部は両端に球体関節部を備えた球体連結部材によりそれぞれ摺動且つ回動可能に連結されている
ことを特徴とする人形玩具。
【請求項２】
前記腕部の肩部、上腕部、下腕部、並びに前記脚部の上脚部、下脚部が、前記胴部又は前記胴下部に設けられた前記球体連結部、又は前記球体連結部材の球体関節部と嵌め合うための溝状切込部を備えていることを特徴とする請求項１に記載の人形玩具。
【請求項３】
前記溝状切込部は、略９０度の角度で設けられることを特徴とする請求項２に記載の人形玩具。
【請求項４】
前記手部及び／又は足部に磁性体が埋め込まれていることを特徴とする請求項１乃至３のいずれかに記載の人形玩具。
【請求項５】
前記頭部の長さが、人形玩具の全長に対して１：２〜１：３となるように構成されていることを特徴とする請求項１乃至４のいずれかに記載の人形玩具。
【請求項６】
前記頭部は円筒形状とされ、内部に空間を有すると共に、該頭部の頭頂部を着脱可能としていることを特徴とする請求項１乃至５のいずれかに記載の人形玩具。
【発明の詳細な説明】
【技術分野】
【０００１】
本発明は、複数の可動部を有する人形玩具に関し、更に詳しくは、頭部や腕部、脚部などの関節部分が可動し、人形を任意の体形に動かすことができる人形玩具に関する。
【背景技術】
【０００２】
従来より、関節部分が可動する人形玩具が提供されており、遊戯者は自由にその頭部、腕部、脚部などを動かし、人形に様々な姿勢をとらせて楽しむことができる。
例えば、人形を頭部及び、複数のパーツから成る胴体部、腕部及び脚部とで構成し、各パーツ及び各部は各種ジョイントにより回動と揺動可能に取り付け、様々なアクションポーズを表現することのできる人形玩具や、胴部を複数のパーツに分け、各パーツの上端部と下端部とをそれぞれ摺動状態で回動可能に嵌合すると共に棒状連結部材で該連結部材の中心に向かって付勢するように連結し、屈曲させた際にそのポーズを保持させる人形玩具（特許文献１）などがある。
【特許文献１】特開２００２−１１９７６８号公報
【発明の開示】
【発明が解決しようとする課題】
【０００３】
しかしながら、従来にあるような人形玩具においては、該人形玩具に様々な姿勢をとらせたときに、胴体の重さに重心が定まらず転倒することがあった。また、従来にあるような人形玩具は各パーツの可動範囲が限られるため、人間の動きに近い動きをさせることはできても、人形の動きには制限があった。
【０００４】
本発明は、このような課題に着目してなされたものであって、関節の動きの自由度が大きく、人間に近い動作姿勢の他にも人形に様々な姿勢をとらせることができ、且つ安定感に優れた人形玩具を提供することを目的としている。
【課題を解決するための手段】
【０００５】
本発明は、頭部と、胴部と、胴下部と、腕部と、脚部とから構成される人形玩具であって、該胴部には、頭部、胴下部、腕部を連結させるための球体連結部が設けられており、該胴下部には、胴部に設けられた球体連結部を摺動且つ回動可能に嵌め合わせるための上方から前方に開口する球状凹部、及び脚部を連結させるための球体連結部が設けられおり、該腕部は、肩部、上腕部、下腕部及び手部から構成され、肩部は胴部の球体連結部と摺動且つ回動可能に嵌め合わされ、上腕部は肩部に摺動可能に挿着され、上腕部と下腕部、下腕部と手部は、両端に球体関節部を備えた球体連結部材によりそれぞれ摺動且つ回動可能に連結され、該脚部は、上脚部、下脚部及び足部から構成され、上脚部は胴下部の球体連結部と摺動且つ回動可動に嵌め合わされ、上脚部と下脚部、下脚部と足部は、両端に球体関節部を備えた球体連結部材によりそれぞれ摺動且つ回動可能に連結されていることを特徴とする人形玩具に関する。
【０００６】
また、前記腕部の肩部、上腕部、下腕部、並びに前記脚部の上脚部、下脚部は、前記胴部又は前記胴下部に設けられた前記球体連結部、又は前記球体連結部材の球体関節部と嵌め合うための溝状切込部を備えており、該溝状切込部は、略９０度の角度で設けられることが好ましい。
【０００７】
そして、前記した人形玩具の手部及び／又は足部には磁性体を埋め込むことが好ましく、前記頭部の長さは、人形玩具の全長に対して１：２〜１：３となるように構成することがある。
更に、本発明は、前記した人形玩具の頭部を円筒形状とし、内部に空間を有すると共に、該頭部の頭頂部を着脱可能とすることもある。
【発明の効果】
【０００８】
本発明の人形玩具は、腕部及び脚部を複数のパーツに分けて構成し、且つ全ての関節部分を球体の連結部材により連結させるので、人形に屈曲やねじりなどの複雑な動きをさせることができ、且つその姿勢を安定に保つことができる。
また、手部や足部に磁性体を埋め込むことにより、同じく磁性体を埋め込んだ小物を付着させたり、金属性の台に乗せてより不安定な姿勢を安定に設置したりするなど、バラエティに富んだ使用が可能となる。
【０００９】
更に、本発明の人形玩具は簡単な形状のパーツを組み合わせて構成されるので、組み立ても簡単で、製造コストも安くすることができる。
【発明を実施するための最良の形態】
【００１０】
以下、本発明に係る人形玩具を、図面を参照して詳細に説明する。
図１は、本発明に係る人形玩具の正面図である。図２及び図３は、図１に示す人形玩具の各パーツの連結を示す分解斜視図である。図４は、図１に示す人形玩具のアクションの例を示す図である。図５及び図６は、本発明に係る人形玩具の使用例を示す図である。
【００１１】
本発明に係る人形玩具１は、図１に示すように、合成樹脂により形成した、頭部２と、胴部３と、胴下部４と、左右の腕部５及び脚部６とから構成され、人体に似せた二足立ちの形態となるように構成されている。
【００１２】
胴部３は、図２及び図３に示すように、横長の四角柱形状とし、面を取った丸みを帯びた形状を成している。これは人体に似せて人形の外観に丸みを持たせる効果があり、また、遊戯者が関節を回動させる際等に誤って怪我をするのを防ぐ効果がある。
また、胴部３の上下左右の各面の略中央部には、頭部２、胴下部４、右の腕部５及び左の腕部５を連結させるための球体連結部１３がそれぞれ設けられている。該上下左右の各面に設けられている球体連結部１３は、胴部３から突出する円柱状の連結棒１３ａと該連結棒１３ａの先端に形成される球形状の球体関節部１３ｂとから構成される。
【００１３】
胴下部４は、上方が広がった擂り鉢形状をしており、上部内中央には上方から前方方向に開口する球状凹部４ａが形成されている。また、下方左右の両側面には、各々左右の脚部６を連結させるための球体連結部１４が設けられており、該球体連結部１４は互いに軸心を同一とするように円柱状の連結棒１４ａが左右に突出し、球形状の球体関節部１４ｂがそれぞれ連結棒１４ａの先端に形成されている。
【００１４】
次に、腕部５について説明する。腕部５としては右の腕部と左の腕部とを有し、該右の腕部と該左の腕部は同一構造として構成されている。以下、右の腕部を例にとり、腕部５の構造を説明するものとする。
【００１５】
腕部５は、図１乃至図３に示すように、肩部５１と、上腕部５２と、下腕部５３と、手部５４、並びに、該上腕部５２と該下腕部５３を、又該下腕部５３と該手部５４とを連結する腕部球体連結部材１１から構成される。
該肩部５１は、略球体の形状を成し、該球体から突出する円柱状の連結軸５１ａが設けられている。また、該連結軸５１ａの反対面から略９０度の角度で球体の中心位置まで溝状切込部５１ｂが設けられており、該溝状切込部５１ｂには前記胴部３の右側面に設けられた球体連結部１３の球体関節部１３ｂが摺動且つ回動可能に嵌め合わされる。
該上腕部５２は、面取りをした円柱形状をなし、元端部面には前記肩部５１の連結軸５１ａを上腕部５２の軸方を中心軸として回転する方向へ摺動可能に挿着する連結軸受け部５２ａが形成され、先端部には該先端部面から略９０度の角度で溝状切込部５２ｂが設けられている。
該下腕部５３は、面取りをした円柱形状をなし、元端部面及び先端部面から互いに向かい合う方向に略９０度の角度で溝状切込部５３ａと溝状切込部５３ｂが設けられている。
該手部５４は、ラグビーボール様形状に形成され、元端部には内部が空洞の球状凹部５４ａが形成されている。
【００１６】
前記上腕部５２、前記下腕部５３及び前記手部５４は、図１及び図３に示すように、円柱状の連結棒１１ａの両端に球形状の球体関節部１１ｂを形成してなる腕部の球体連結部材１１により連結される。該腕部球体連結部材１１の両端の球体関節部１１ｂを上腕部５２の先端部の溝状切込部５２ｂと下腕部５３の元端部の溝状切込部５３ａに摺動且つ回動可能に嵌め合わせて連結することにより該腕部球体連結部材１１をひじ関節部分とし、同じく腕部球体連結部材１１の両端の球体連結部材１１ｂを下腕部５３の先端部の溝状切込部５３ｂと手部５４の球状凹部５４ａに摺動且つ回動可能に嵌め合わせて連結することにより該腕部球体連結部材１１を手首関節部分とする。
【００１７】
上記の構成により連結された腕部５は、肩部５１は胴部３に対して前後方向に３６０度、左右方向に略９０度で摺動させることができる。下腕部５３は、上腕部５２に対してひじ関節部分の腕部球体連結部材１１により略１８０度の角度で摺動させることができ、手部５４は、下腕部５３に対して手首関節部分の腕部球体連結部材１１により略９０度の角度で摺動させることができる。また上腕部５２は、肩部５１に対して水平方向に３６０度の角度で回転方向へ摺動させることができる。更に、肩部５１、上腕部５２、下腕部５３及び手部５４は、全て球体の部材で連結されているため、それぞれを回動させることができる。
従って、これら各パーツを摺動及び／又は回動させることにより腕部分全体に様々な動きをさせることができる。
【００１８】
次に、脚部６について説明する。脚部６としては右の脚部と左の脚部とを有し、該右の脚部と該左の脚部は対称な構造として構成されている。以下、右の脚部を例にとり、脚部６の構造を説明するものとする。
【００１９】
脚部６は、図１乃至図３に示すように、上脚部６１と、下脚部６２と、足部６３、並びに、該上脚部６１と該下脚部６２を、又該下脚部６２と該足部６３とを連結する脚部球体連結部材１２から構成される。
該上脚部６１は、面取りをした円柱形状を成し、元端部面から略９０度の角度で溝状切込部６１ａが設けられている。また、先端部面から後方方向に該溝状切込部６１ａとは略直交となる角度で略９０度の角度で溝状切込部６１ｂが設けられている。該上脚部６１は、元端部の溝状切込部６１ａを前記胴下部４に設けられた右側面の球体連結部材１４の球体関節部１４ｂに摺動且つ回動可能に嵌め合わせることにより胴下部４に連結される。
該下脚部６２は、面取りをした円柱形状をなし、元端部面及び先端部面から互いに向かい合う方向に略９０度の角度で溝状切込部６２ａと溝状切込部６２ｂが設けられている。
該足部６３は、甲部分を緩やかに大きく隆起させた楕円形円盤状をしており、外側足部６３ａと内側足部６３ｂを嵌合して形成される。また、内部には図１及び図３に示すように、足首部分に脚部の球体連結部材１２を連結させるための球状凹部１６ａが形成された足部球体支持部材１６が嵌め込まれている。
【００２０】
前記上脚部６１、前記下脚部６２及び前記足部６３は、図１及び図３に示すように、円柱状の連結棒１２ａの両端に球形状の球体関節部１２ｂを形成してなる脚部の球体連結部材１２により連結される。脚部球体連結部材１２の両端の球体関節部１２ｂを上脚部６１の先端部の溝状切込部６１ｂと下脚部６２の元端部の溝状切込部６２ａに摺動且つ回動可能に嵌め合わせて連結することにより該脚部球体連結部材１２をひざ関節部分とし、同じく脚部球体連結部材１２の両端の球体関節部１２ｂを下脚部６２の先端部の溝状切込部６２ｂと足部６３に嵌め込まれた足部球体支持部材１６に摺動且つ回動可能に嵌め合わせて連結することにより該脚部球体連結部材１２を足首関節部分とする。
【００２１】
上記の構成により連結された脚部６は、上脚部６１は胴下部４に対して前後方向に３６０度、左右方向に略９０度で摺動させることができる。下脚部６２は、上脚部６１に対してひざ関節部分の脚部球体連結部材１２により略１８０度の角度で摺動させることができ、足部６３は、下脚部６２に対して足首関節部分の脚部球体連結部材１２により略９０度の角度で摺動させることができる。更に、上脚部６１、下脚部６２及び足部６３は、全て球体の部材で連結されているため、それぞれを回動させることができる。
従って、これら各パーツを摺動及び／又は回動させることにより脚部分全体に様々な動きをさせることができる。
【００２２】
頭部２は、図１及び図２に示すように、円筒形状をなし、内部が空洞の前頭部２ａと後頭部２ｂを嵌合して形成される。また、該前頭部２ａと該後頭部２ｂの内部はそれぞれ上頭部２１と下頭部２２とに分かれており、該下頭部２２の中央部分には、頭部２に胴部３を連結させるための球状凹部１５ａが形成された頭部球体支持部材１５が嵌め込まれている。また、頭部２の頭頂部２３は、着脱可能の蓋を備えている。
【００２３】
次に、本発明の人形玩具１の組み立て方法の１例を説明する。
まず、胴部３の上面に設けられた球体連結部１３の球体関節部１３ｂに頭部２を連結する。該球体関節部１３ｂは、前記頭部球体支持部材１５の球状凹部１５ａに回動可能に嵌め込まれる。これにより、頭部２は胴部３に対して前後左右全ての方向に略９０度、水平方向に３６０度の角度で摺動且つ回動させることができる。
次に、胴部３の下面に設けられた球体連結部１３の球体関節部１３ｂに胴下部４の球状凹部４ａを嵌め込み胴下部４を連結する。これにより、胴下部４は胴部３に対して前後方向に略９０度の角度で摺動且つ回動し、水平方向に３６０度の角度で摺動させることができる。
更に、胴部３の右側面に設けられた球体連結部１３の球体関節部１３ｂに、予め連結させておいた右の腕部５の肩部５１の溝状切込部５１ｂを嵌め込み、同様に、胴部３の左側面に設けられた球体連結部１３の球体関節部１３ｂに、予め連結させておいた左の腕部５の肩部５１の溝状切込部５１ｂを嵌め込む。その後、胴下部４の右側部に設けられた球体連結部１４の球体関節部１４ｂに、予め連結させておいた右の脚部６の上脚部６１の溝状切込部６１ａを嵌め込み、同様に、胴下部４の左側面に設けられた球体連結部１４の球体関節部１４ｂに、予め連結させておいた左の脚部６の上脚部６１の溝状切込部６１ａを嵌め込む。
【００２４】
上記の構成により連結された人形玩具は、前述した如く各球体の関節部分を自由に可動させることができるので、例えば図４に示すように、各パーツをそれぞれ摺動及び／又は回動させることにより、様々な姿勢をとらせることができる。また、腕部や脚部は複数のパーツで構成されており、各パーツは腕のひじや脚のひざなど人体の関節部分に該当する部分を球体の連結部材を用いて連結しているため、より複雑な姿勢をとらせることが可能である。
【００２５】
本発明に係る人形玩具の別の実施形態として、手部と足部に磁性体を埋め込むこともできる。
該磁性体としてはいわゆる磁石を用いればよく、手部５４に磁石を埋め込む場合、例えば、図１及び図３に示すように、該手部５４の球側面に磁石支持凹部１８を形成し、磁石１７を埋め込めば良い。また、足部６３に磁石を埋め込む場合は、例えば、該足部６３の外側足部６３ａと内側足部６３ｂの足の裏部分の側面や甲部分の内部に磁石１７を支持する凹部１８を形成し、磁石１７を埋め込めば良い。
【００２６】
手部５４に磁石１７を埋め込んだ場合の使用例としては、例えば、図５及び図６に示すように、磁性体を埋め込んだ小物、例えば、グローブやボール、バッド、ギフトボックス、本などを模した小物を磁着させることができる。また、例えば野球用具としてのグローブとボールを模した小物のそれぞれに磁性体を埋め込んでおけば、図５に示すように手部５４にグローブを磁着させ、ボールをそのグローブに磁着させたり、グローブとボールを左右の手部に分けて磁着させたりと、様々なバリエーションで楽しむことができる。
足部６３の甲部分に埋め込んだ磁石１７には同じく磁性体を埋め込んだ小物、例えば、ボールなどを磁着させることができ、このように小物を用いることで躍動感を与える外観を提供することができる。
また、磁石１７を足部６３の足の裏部分に埋め込んだ場合には、金属性の台などに人形を乗せることでより体勢を安定させることができる。例えば、図５に示すように人形に安定の悪いポーズを取らせた場合でも、転倒することなくその姿勢を維持させることができる。
【００２７】
本発明に係る人形玩具は、前記頭部２はその長さが人形の全長に対して１：２〜１：３となる大きさに形成することが好ましい。これは、人体様人形玩具とした場合、２〜３頭身サイズの外観をした玩具は子供から大人まで幅広く好まれるからである。
また、本発明の人形玩具は、頭部内部を空洞としているため、頭部を大きくしても頭部が重くならず、安定して人形玩具に様々な姿勢をとらせることができる。
【００２８】
更に、図６に示すように、頭部２内部の空洞部分には鍵やペンなどの小物を入れることができ、物入れとして使用することもできる。前述した如く、足の裏部分に磁石を埋め込んだ人形玩具とすることで、頭部に小物を入れても金属性の台に設置することで、転倒することなく、安定してその姿勢を維持させることができる。
【００２９】
また、転倒を防止する目的と、幅広く親しまれる外観を提供することを目的として、足部６３を脚部６の長さに比して大きく作成することが好ましい。足部６３を大きく形成することで、人形をより安定に立たせる効果もある。
【００３０】
本発明に係る人形玩具は、図５及び図６に示すように、様々な衣装を着せて遊ぶこともできる。また、頭部の前頭部に顔のパーツを立体的に形成したり、シールなどを貼ったり絵を描いたりして人形玩具に表情を与えることもできる。
【図面の簡単な説明】
【００３１】
【図１】本発明の実施の形態である人形玩具の正面図。
【図２】図１の人形玩具の頭部、胴部、胴下部、腕部及び脚部の連結を示す分解斜視図。
【図３】図１の人形玩具の胴部と腕部、脚部の連結、並びに腕部と脚部の各パーツの連結を示す分解斜視図。
【図４】図１に示す人形玩具のアクションの例を示す図。
【図５】本発明の人形玩具の使用例を示す例。
【図６】本発明の人形玩具の使用例を示す例。
【符号の説明】
【００３２】
１        人形玩具
２        頭部
２ａ      前頭部
２ｂ      後頭部
３        胴部
４        胴下部
５        腕部
６        脚部
１１      腕部球体連結部材
１２      脚部球体連結部材
１３，１４    球体連結部
１１ａ，１２ａ，１３ａ，１４ａ    連結棒
１１ｂ，１２ｂ，１３ｂ，１４ｂ    球体関節部
１５      頭部球体支持部材
１６      足部球体支持部材
１７      磁石
１８      磁石支持凹部
４ａ，１５ａ，１６ａ    球状凹部
２１      上頭部
２２      下頭部
２３      頭頂部
５１      肩部
５２      上腕部
５３      下腕部
５４      手部
６１      上脚部
６２      下脚部
６３      足部
５１ａ    連結軸
５１ｂ，５２ｂ，５３ａ，５３ｂ    溝状切込部
５２ａ    連結軸受け部
５４ａ    球状凹部
６１ａ，６１ｂ，６２ａ，６２ｂ    溝状切込部
６３ａ    外側足部
６３ｂ    内側足部
【図１】
2007143620.tif 000003
【図２】
2007143620.tif 000004
【図３】
2007143620.tif 000005
【図４】
2007143620.tif 000006
【図５】
2007143620.tif 000007
【図６】
2007143620.tif 000008